(57)【要約】      （修正有）【課題】山留杭への取付け、取り外し作業に火気を用いることがなく容易に行うことができ、ブラケットを再利用することができる山留用ブラケット装置と、構造や設置方法が容易で溶接不要な山留用腹起固定装置および山留用ブラケット装置と山留用腹起固定装置を用いた山留用固定装置を提供する。【解決手段】山留用ブラケット装置１０は、上部部材１１、鉛直部材１２、斜材１４を備えており、鉛直部材１２のボルト貫通孔１３を貫通して山留杭１に設けられたネジ孔２に螺合されたボルト３０により取り付ける。山留用腹起固定装置は、山留杭側接続部材、腹起側接続部材、固定金具を備えている。山留杭１のフランジ１ａと山留杭側接続部材、腹起４と腹起側接続部材をそれぞれボルトで螺合し、山留杭側接続部材と腹起側接続部材とを固定金具で挟持して、固定する。山留用ブラケット装置１０と山留用腹起固定装置を併用することができる。【選択図】図１
2020111981.tif 000002
【特許請求の範囲】
【請求項１】
山留杭に固定して腹起を支持するための山留用ブラケット装置であって、腹起を支える支持面を有する棒状の上部部材と、前記山留杭の表面に当接するフランジを有し、前記フランジにボルト貫通孔が設けられている棒状の鉛直部材と、前記上部部材と前記鉛直部材とを繋ぐ斜材とを備え、前記鉛直部材のボルト貫通孔を貫通するボルトにより前記山留杭に取り付けられていることを特徴とする山留用ブラケット装置。
【請求項２】
請求項１記載の山留用ブラケット装置において、前記山留杭にはネジ孔が形成されており、前記鉛直部材のボルト貫通孔を貫通する前記ボルトが前記ネジ孔に螺合されていることを特徴とする山留用ブラケット装置。
【請求項３】
請求項１記載の山留用ブラケット装置において、前記山留杭には、ネジ孔を有する固定プレートが取り付けられており、前記鉛直部材のボルト貫通孔を貫通する前記ボルトが前記固定プレートの前記ネジ孔に螺合されていることを特徴とする山留用ブラケット装置。
【請求項４】
山留杭に固定されたブラケットの上に設置されたＨ形鋼からなる腹起を前記山留杭に固定させるための山留用腹起固定装置であって、前記山留杭にボルト接続された山留杭側接続部材と、前記腹起のフランジにボルト接続された腹起側接続部材と、前記山留杭側接続部材と前記腹起側接続部材とを固定する固定金具と、を備えていることを特徴とする山留用腹起固定装置。
【請求項５】
請求項４記載の山留用腹起固定装置において、前記山留杭側接続部材は、前記山留杭の表面に当接するフランジおよび該フランジに直交するウェブを有し、前記フランジに山留杭にボルト接続するためのボルト貫通孔が設けられているＬ形鋼またはＴ形鋼からなり、前記腹起側接続部材は、前記腹起のフランジに当接するウェブおよび該ウェブに直交するフランジを有し、前記ウェブに前記腹起のフランジに接続するためのボルト貫通孔が設けられているＬ形鋼または溝形鋼からなり、前記固定金具は前記山留杭側接続部材のウェブと前記腹起側接続部材のフランジを当接させて締付け挟持する固定金具であることを特徴とする山留用腹起固定装置。
【請求項６】
請求項５記載の山留用腹起固定装置において、前記山留杭には、ネジ孔を有する固定プレートが取り付けられており、前記山留杭側接続部材のボルト貫通孔を貫通するボルトが前記ネジ孔に螺合されていることを特徴とする山留用腹起固定装置。
【請求項７】
山留杭に固定して腹起を支持するための山留用ブラケット装置と、前記山留用ブラケット装置の上に設置したＨ形鋼からなる前記腹起を前記山留杭に接続するための山留用腹起固定装置とを備えた山留用固定装置であって、前記山留用ブラケット装置は、腹起を支える支持面を有する棒状の上部部材と、前記山留杭の表面に当接するフランジを有し、前記フランジにボルト貫通孔を設けられている棒状の鉛直部材と、前記上部部材と前記鉛直部材とを繋ぐ斜材とを備え、前記鉛直部材のボルト貫通孔を貫通するボルトにより前記山留杭に取り付けられており、前記山留用腹起固定装置は、山留杭に固定されたブラケットの上に設置されたＨ形鋼からなる腹起を前記山留杭に固定させるための山留用腹起固定装置であって、前記山留杭にボルト接続された山留杭側接続部材と、前記腹起のフランジにボルト接続された腹起側接続部材と、前記山留杭側接続部材と前記腹起側接続部材とを固定する固定金具と、を備えていることを特徴とする山留用固定装置。
【請求項８】
請求項７記載の山留用固定装置において、前記山留杭にはネジ孔が形成されており、前記鉛直部材のボルト貫通孔を貫通する前記ボルトが前記ネジ孔に螺合されていることを特徴とする山留用固定装置。
【請求項９】
請求項７記載の山留用固定装置において、前記山留杭には、ネジ孔を有する固定プレートが取り付けられており、前記鉛直部材のボルト貫通孔を貫通する前記ボルトが前記固定プレートの前記ネジ孔に螺合されていることを特徴とする山留用固定装置。
【請求項１０】
請求項７、８または９記載の山留用固定装置において、前記山留杭側接続部材は、前記山留杭の表面に当接するフランジおよび該フランジに直交するウェブを有し、前記フランジに山留杭にボルト接続するためのボルト貫通孔が設けられているＬ形鋼または溝形鋼からなり、前記腹起側接続部材は、前記腹起のフランジに当接するウェブおよび該ウェブに直交するフランジを有し、前記ウェブに前記腹起のフランジに接続するためのボルト貫通孔が設けられているＬ形鋼または溝形鋼からなり、前記固定金具は前記山留杭側接続部材のウェブと前記腹起側接続部材のフランジを当接させて締付け挟持する固定金具であることを特徴とする山留用固定装置。
【請求項１１】
請求項１０記載の山留用固定装置において、前記山留杭には、ネジ孔を有する固定プレートが取り付けられており、前記山留杭側接続部材のボルト貫通孔を貫通するボルトが前記ネジ孔に螺合されていることを特徴とする山留用固定装置。
【発明の詳細な説明】
【技術分野】
【０００１】
本発明は、山留杭に切梁や腹起などを設置するための山留用ブラケット装置、山留杭に取り付けたブラケットの上に設けた腹起と山留杭を接続して固定する山留用腹起固定装置および山留用ブラケット装置と山留用腹起固定装置を用いた山留用固定装置に関するものである。
【背景技術】
【０００２】
一般的な山留工事では、切梁や腹起を支持するためのブラケットを溶接して親杭に取り付けており、切梁などを解体する際にはブラケットを溶断して取り外す。ブラケットのガス溶断作業は危険を伴うものであり、作業を行うための資格も必要である。そこで、溶接しないブラケットが考えられており、例えば特許文献１〜３に開示された発明がある。
【０００３】
また、前方に山留壁がない場合、山留壁の腹起しに滑りが作用するため、腹起しと山留壁とを固定するためにすべり止めを設置する場合があり、例えば特許文献４に開示された発明がある。
【０００４】
特許文献１には、山留め壁や切梁支柱（棚杭、構台杭）に軽量な鋼材を溶接で固定し、ブラケットとボルトで固定されていることを特徴とする再利用可能なブラケットが記載されている。
【０００５】
特許文献２には、土留面内に本体を埋設した複数のＨ形鋼による立柱の直立フランジの表面が土留面に平行に現われ、該フランジの表面とＨ形鋼による腹起の横行フランジの表面とを面接重合し、２股金具の一方の腕を上記直立フランジの裏面側に挿入して他方の腕を該フランジの表面側に配置し、他方の腕に螺入したボルトの先端円形刃を上記一方の腕に設けた受刃に向って推進し、該受刃を直立フランジの裏面に、上記先端円形刃を上記腹起の支持金具の基端板の表面に喰込ませて該基端板と直立フランジとを上記２股金具によって挟持することを特徴とするＨ形鋼を主材とする腹起接合法が記載されている。
【０００６】
特許文献３には、矢板（１）、杭（４）等に溶接されボルト用の穴（１４）を各々有する取付ピース（１３）と、略∧状又は略３角形状に形成され穴（１１）において取付ピース（１３）にボルトで取付けられるブラケット本体（１０）とからなる山留構造に用いるブラケットが記載されている。
【０００７】
特許文献４には、山留壁と腹起材の対向面間に緊張状態で配置する支持部材と、腹起材のフランジ部分に取付けるフック部材とからなり、フック部材に支持部材を挿通する孔を設けた山留壁の支持装置が記載されている。
【先行技術文献】
【特許文献】
【０００８】
【特許文献１】特開２０１１−２１４３８３号公報
【特許文献２】特許第２６１００６５号公報
【特許文献３】実開昭５９−０１０３４３号公報
【発明の概要】
【発明が解決しようとする課題】
【０００９】
特許文献１記載の発明は、軽量な鋼材で略直角に形成された取付部材１２を山留め壁や切梁支柱に取り付け、山留め壁や切梁支柱に対して直角に取り付けられたブラケット取付部１２２にブラケットの固定部１３１をボルト１５とナット１６で取り付けている。この構成は取付け取り外しが容易ではあるが、ブラケット取付部１２２とブラケットの固定部１３１が板状であるため、ブラケットの強度や耐久性、安定性に欠ける。
【００１０】
特許文献２記載の発明は、２股金具の一方の腕を直立フランジの裏面側に挿入して他方の腕をフランジの表面側に配置し、支持金具の基端版と直立フランジを挟持して取り付けているが、作業手間がかかり、２股金具を使用しているため重くなってしまう。
【００１１】
特許文献３記載の考案は、アングル鋼片や１枚の鋼板からなる取付ピース１３を杭に溶接して、取付ピース１３に略∧状又は略３角形状のブラケットを取り付けているが、この構成では強度や耐久性が十分とは言えない。
【００１２】
また、図９〜１１に示したように、従来の山留用腹起固定装置は、腹起しの山留杭側のフランジ上部に溝形鋼のウェブをボルトで固定し、溝形鋼の上フランジから山留杭のフランジに渡って、別の溝形鋼を溶接している。ブラケットと同様に、溶接するには技術が必要であり、山留の変位に合わせて増設をするのも容易ではない。切梁やグランドアンカーなどによる腹起しの変形等が生じた場合に、簡単にその固定を解除することはできず、解体する際の溶断作業は危険を伴い、資格を要する。また、溶断した固定装置を再度使用することはできない。
【００１３】
本発明は、上述のような背景のもと、山留杭への取付け、取り外しに火気を用いることがなく容易に行うことができ、ブラケットを再利用することができる山留用ブラケット装置と、構造や設置方法が容易で溶接不要な山留用腹起固定装置および山留用ブラケット装置と山留用腹起固定装置を用いた山留用固定装置を提供することを目的としたものである。
【課題を解決するための手段】
【００１４】
本発明の山留用ブラケット装置は、山留杭に固定して腹起を支持するための山留用ブラケット装置であって、腹起を支える支持面を有する棒状の上部部材と、山留杭の表面に当接するフランジを有し、フランジにボルト貫通孔が設けられている棒状の鉛直部材と、上部部材と鉛直部材とを繋ぐ斜材とを備え、鉛直部材のボルト貫通孔を貫通するボルトにより山留杭に取り付けられていることを特徴とするものである。
【００１５】
ブラケットをボルトで取り付けることによって、溶接が不要で、品質にばらつきが無く、容易に固定することができる。溶接が不要になれば、ブラケットを解体する際にもガス溶断などの火気を使用することなく、取り外し作業は簡単かつ安全である。取り外したブラケットを再利用することができ、経済的である。
【００１６】
また、山留杭にはネジ孔が形成されており、鉛直部材のボルト貫通孔を貫通するボルトがネジ孔に螺合されているとよい。山留杭に形成したネジ孔と鉛直部材のボルト貫通孔にボルトを貫通させて山留杭に山留用ブラケット装置を取り付けることができる。
【００１７】
また、山留杭には、ネジ孔を有する固定プレートが取り付けられており、鉛直部材のボルト貫通孔を貫通するボルトが固定プレートのネジ孔に螺合されていてもよい。
【００１８】
山留杭にネジ孔を設けて鉛直部材と取り付けるのではなく、予めネジ孔を設けた固定プレートを山留杭に取り付け、その固定プレートのネジ孔と鉛直部材のボルト貫通孔とをボルトで螺合して取り付けることもできる。
【００１９】
固定プレートは、溶接などで山留杭に取り付ければよく、山留用ブラケット装置を解体する際には、固定プレートと鉛直部材とを固定しているボルトを外すだけでよい。固定プレートを取り付ける際に溶接作業が必要な場合があるが、ブラケットを取り外す時には固定プレートから取り外すだけでよいため、火気を使用せず、簡単かつ安全で、ブラケットを再利用することもできる。
【００２０】
本発明の山留用腹起固定装置は、山留杭に固定されたブラケットの上に設置されたＨ形鋼からなる腹起を前記山留杭に固定させるための山留用腹起固定装置であって、山留杭にボルト接続された山留杭側接続部材と、腹起のフランジにボルト接続された腹起側接続部材と、山留杭側接続部材と腹起側接続部材とを固定する固定金具と、を備えているようにしたことを特徴とするものである。
【００２１】
この山留用腹起固定装置は、山留杭と山留杭側接続部材、腹起と腹起側接続部材をボルトで接続し、腹起側接続部材と山留杭側接続部材を固定金具で接続することによって、切梁やグランドアンカーなどによる腹起の変形が生じた場合に、山留用腹起固定装置を取り外し、再度固定することが可能である。また、溶接不要であるため、山留の変位に合わせて、山留用腹起固定装置を増設することも容易に行なえる。
【００２２】
また、本発明の山留用腹起固定装置において、山留杭側接続部材は、山留杭の表面に当接するフランジおよびフランジに直交するウェブを有し、フランジに山留杭にボルト接続するためのボルト貫通孔が設けられているＬ形鋼またはＴ形鋼からなり、腹起側接続部材は、腹起のフランジに当接するウェブおよびウェブに直交するフランジを有し、ウェブに腹起のフランジに接続するためのボルト貫通孔が設けられているＬ形鋼または溝形鋼からなり、固定金具は山留杭側接続部材のウェブと腹起側接続部材のフランジを当接させて締付け挟持する固定金具であることを特徴とするものである。
【００２３】
例えば、図３のように山留杭側接続部材のフランジと山留杭、山留杭側接続部材のウェブと腹起側接続部材のフランジ、腹起側接続部材のウェブと腹起を接続することができる。
【００２４】
また、山留杭には、ネジ孔を有する固定プレートが取り付けられており、山留杭側接続部材のボルト貫通孔を貫通するボルトが固定プレートのネジ孔に螺合されていてもよい。
【００２５】
固定プレートは、溶接などで山留杭に取り付ければよく、固定プレートと山留杭側接続部材とをボルトで固定しているため、火気を使用せず、簡単かつ安全である。
【００２６】
また、山留杭に固定して腹起を支持するための山留用ブラケット装置と、山留用ブラケット装置の上に設置したＨ形鋼からなる腹起を山留杭に接続するための山留用腹起固定装置とを備えた本発明の山留用固定装置であって、山留用ブラケット装置は、腹起を支える支持面を有する棒状の上部部材と、山留杭の表面に当接するフランジを有し、フランジにボルト貫通孔を設けられている棒状の鉛直部材と、上部部材と鉛直部材とを繋ぐ斜材とを備え、鉛直部材のボルト貫通孔を貫通するボルトにより山留杭に取り付けられており、山留用腹起固定装置は、山留杭に固定されたブラケットの上に設置されたＨ形鋼からなる腹起を山留杭に固定させるための山留用腹起固定装置であって、山留杭にボルト接続された山留杭側接続部材と、腹起のフランジにボルト接続された腹起側接続部材と、山留杭側接続部材と腹起側接続部材とを固定する固定金具と、を備えていることを特徴とするものである。
【００２７】
本発明の山留用固定装置は、山留杭に固定された山留用ブラケット装置と、山留用ブラケット装置の上に設置された腹起を山留杭に固定させる山留用腹起固定装置とを備えたものであり、山留用ブラケット装置と山留用腹起固定装置は併用することができる。
【００２８】
本発明の山留用固定装置において、山留杭にはネジ孔が形成されており、鉛直部材のボルト貫通孔を貫通するボルトが山留杭に形成されたネジ孔に螺合されていてもよい。山留杭に形成したネジ孔と鉛直部材のボルト貫通孔にボルトを貫通させて、山留用固定装置における山留用ブラケット装置を山留杭に固定させることができる。
【００２９】
また、本発明の山留用固定装置において、山留杭には、ネジ孔を有する固定プレートを取り付けて、鉛直部材のボルト貫通孔を貫通するボルトが山留杭に取り付けられた固定プレートのネジ孔に螺合されるようにしてもよい。
【００３０】
山留杭にネジ孔を形成するのではなく、ネジ孔を有する固定プレートを山留杭に溶接などで取り付けて、鉛直部材のボルト貫通孔と固定プレートのネジ孔にボルトを貫通させることによって山留用ブラケット装置を山留杭に固定させることもできる。
【００３１】
本発明の山留用固定装置において、山留杭側接続部材は、山留杭の表面に当接するフランジおよびフランジに直交するウェブを有し、フランジに山留杭にボルト接続するためのボルト貫通孔が設けられているＬ形鋼または溝形鋼からなり、腹起側接続部材は、腹起のフランジに当接するウェブおよびウェブに直交するフランジを有し、ウェブに腹起のフランジに接続するためのボルト貫通孔が設けられているＬ形鋼または溝形鋼からなり、固定金具は山留杭側接続部材のウェブと腹起側接続部材のフランジを当接させて締付け挟持する固定金具であることを特徴とするものである。
【００３２】
また、本発明の山留用固定装置において、山留杭には、ネジ孔を有する固定プレートが取り付けられており、山留杭側接続部材のボルト貫通孔を貫通するボルトが固定プレートのネジ孔に螺合されていてもよい。
【発明の効果】
【００３３】
本発明は、以上のような構成からなり、次のような効果が得られる。
（１）本発明の山留用ブラケット装置は、山留杭にブラケットを容易に取り付けることができる。ブラケット解体時はボルトを外すだけでよく、ブラケットを再利用することもできる。
（２）ブラケット解体時にガス溶断などの火気を用いることがなく、無資格で作業をすることができる。また、火花養生を施す必要もないため、手間が省け、火花による火災等の災害を起こす危険性が無くなる。
（３）本発明の山留用腹起固定装置は、構造を簡素化し、容易に設置することができる。ボルトと固定金具を用いて接続することにより、溶接が不要で、解体が容易に行える。
（４）山留杭の変位に合わせて、山留用腹起固定装置の増設が可能である。
（５）山留用腹起固定装置に固定金具を用いることによって、切梁やグランドアンカーによる腹起の変形などが生じた場合に、山留用腹起固定装置の固定を解除し再度固定しなおすこができる。
【図面の簡単な説明】
【００３４】
【図１】本発明の山留用ブラケット装置の一実施形態を示したもので、(a)は正面図、(b)は側面図である。
【図２】本発明の山留用ブラケット装置の他の実施形態を示したもので、(a)は正面図、(b)は側面図である。
【図３】本発明の山留用腹起固定装置の一実施形態を示した正面図である。
【図４】図３の実施形態における側面図を示したものである。
【図５】図３の実施形態における平面図を示したものである。
【図６】本発明の山留用腹起固定装置の他の実施形態を示した正面図である。
【図７】図６の実施形態における側面図を示したものである。
【図８】図６の実施形態における平面図を示したものである。
【図９】従来の山留用腹起固定装置の一実施形態を示した正面図である。
【図１０】図９の実施形態における側面図を示したものである。
【図１１】図９の実施形態における平面図を示したものである。
【発明を実施するための形態】
【００３５】
以下、本発明の具体的な実施形態を添付図面に基づいて説明する。
【００３６】
〔実施例１〕
図１は、本発明における山留用ブラケット装置１０の一実施形態を示したものであり、(ａ)は正面図、(ｂ)は側面図である。山留杭１に取り付けるブラケット１０は、上部部材１１、鉛直部材１２、斜材１４から構成されている。上部部材１１は、山留杭１からほぼ直交する方向に延びており、腹起４と交差している。鉛直部材１２は、上部部材１１の端部から垂直に下方へ延びており、ボルト貫通孔１３を設けている。斜材１４は、上部部材１１の端部と鉛直部材１２の端部を繋いでおり、三角形のブラケット１０を構成している。
【００３７】
山留杭１のフランジ１ａには、ネジ孔２を設けて、鉛直部材１２のボルト貫通孔１３と山留杭に設けたネジ孔２を合わせて、ボルト３０で固定する。
【００３８】
作業手順としては、まず山留杭１のフランジ１ａの山留用ブラケット装置１０を取り付ける穴の位置にケガキや穿孔機などを用いて穴をあける。その穴にタップを用いて、ネジ孔２を作成する。ネジ孔２の個数は特に限定されないが、複数個であると鉛直部材１２を取り付けた際により安定する。
【００３９】
予め山留用ブラケット装置１０の鉛直部材１２にはボルト貫通孔１３を設け、山留杭１のフランジ１ａに作ったネジ孔２とボルト貫通孔１３を合わせ、ボルト３０で固定する。その際、緩み止めと、緩んだ時の脱落防止のために、スプリングワッシャーなどを使用するとよい。
【００４０】
〔実施例２〕
図２（ａ）（ｂ）には、固定プレート１５を用いて山留用ブラケット装置１０を取り付けた一実施形態の正面図と側面図を示した。山留用ブラケット装置１０は、実施例１と同様に、上部部材１１、鉛直部材１２、斜材１４から三角形になるように構成したもので、上部部材１１は、山留杭１からほぼ直交する方向で腹起４と交差するように延びている。鉛直部材１２は、上部部材１１の端部から垂直に下方へ延びており、ボルト貫通孔１３を設けている。
【００４１】
予めネジ孔１６を設けた固定プレート１５を山留杭１のフランジ１ａに取り付けて、固定プレート１５の上に鉛直部材１２を合わせる。固定プレート１５に設けられたネジ孔１６と鉛直部材１２のボルト貫通孔１３にボルト３０を貫通させて山留用ブラケット装置１０を固定する。
【００４２】
実施例２の作業手順は、まず固定プレート１５に予めネジ孔１６を設けておく。山留杭１のフランジ１ａにおいて、山留用ブラケット装置１０を取り付ける位置に固定プレート１５を溶接などで取り付ける。固定プレート１５のネジ孔１６と鉛直部材１２のボルト貫通孔１３を合わせて、ボルト３０を貫通させ、固定する。
【００４３】
実施例１、２どちらの場合も、ボルト３０を外すだけで山留杭１から簡単に山留用ブラケット装置１０を外すことができ、山留用ブラケット装置１０を再利用することができる。
【００４４】
〔実施例３〕
図３〜５は本発明の山留用腹起固定装置２０の一実施形態を示したもので、図３は正面図、図４は側面図、図５は平面図である。山留用腹起固定装置２０は、ブラケット６の上に設置した腹起４を山留杭１に固定するもので、山留杭側接続部材２１、腹起側接続部材２３、固定金具２５から構成されている。この実施例では、山留杭側接続部材２１にＬ形鋼、腹起側接続部材２３に溝形鋼を用いた例を示した。
【００４５】
腹起４の山留杭１に近い方のフランジ４ａに設けたネジ孔５と腹起側接続部材２３のウェブ２３ｂに設けたボルト貫通孔２４にボルト３０を貫通させて固定する。一方、山留杭１のフランジ１ａに設けたネジ孔３と、山留杭側接続部材２１のフランジ２１ａに設けたボルト貫通孔２２とにボルト３０を貫通させて固定する。腹起側接続部材２３のフランジ２３ａと山留杭側接続部材２１のウェブ２１ｂの端部に固定金具２５を挟持させて取り付ける。
【００４６】
作業手順としては、まず山留杭１のフランジ１ａの山留杭側接続部材２１を取り付ける穴の位置にケガキや穿孔機などを用いて穴をあける。その穴にタップを用いて、ネジ孔３を作成する。ネジ孔３の個数は特に限定されないが、複数個であると山留杭側接続部材２１を取り付けた際により安定する。
【００４７】
予め腹起４のフランジ４ａにネジ孔５と、腹起側接続部材２３のウェブ２１ｂにボルト貫通孔２４を設けておく。ネジ孔５とボルト貫通孔２４を合わせ、ボルト３０で固定する。その際、緩み止めと、緩んだ時の脱落防止のために、スプリングワッシャーなどを用いても良い。
【００４８】
腹起側接続部材２３のフランジ２３ａと山留杭側接続部材２１のウェブ２１ｂの端部に固定金具２５を挟持させて取り付ける。固定金具２５は、山留杭側接続部材２１の端部と、腹起側接続部材２３の端部を挟持して固定できるものであればよく、例えば図に示したようなブルマン株式会社製のブルマン（「ブルマン」はブルマン株式会社の登録商標）のような挟持金具を用いることができる。
【００４９】
また、図３〜５のブラケット６の部分に山留用ブラケット装置１０を使用して、山留用ブラケット装置１０と山留用腹起固定装置２０を併用することもできる。山留用ブラケット装置１０と山留用腹起固定装置２０を併用すれば、溶接不要であり、取り付けも簡単かつ安全に行うことができる。解体する際にもボルト３０を取り外すだけであり、ブラケットや腹起などの部材を再利用することができる。
【００５０】
〔実施例４〕
図６〜８は、図３〜５とは別の実施形態の山留用腹起固定装置２０を示したもので、図６は正面図、図７は側面図、図８は平面図である。実施例４の山留用腹起固定装置２０は、実施例３と同様にブラケット６の上に設置した腹起４と山留杭１とを繋ぐものであるが、固定プレート２６を用いるものである。
【００５１】
腹起４の山留杭１に近い方のフランジ４ａに設けたネジ孔５と腹起側接続部材２３のウェブ２３ｂに設けたボルト貫通孔２４にボルト３０を貫通させて固定する。
【００５２】
一方、山留杭１のフランジ１ａには、ネジ孔２７を設けた固定プレート２６を山留杭１のフランジ１ａに溶接などで取り付ける。山留杭１に設けた固定プレート２６に山留杭側接続部材２１のフランジ２１ａを合わせ、固定プレート２６に設けたネジ孔２７と山留杭側接続部材２１に設けたボルト貫通孔２２にボルト３０を貫通させて固定する。
【００５３】
腹起側接続部材２３のフランジ２３ａと山留杭側接続部材２１のウェブ２１ｂの端部に固定金具２５を挟持させて取り付ける。
【００５４】
作業手順としては、まず予め固定プレート２６にネジ孔２７を設けておき、固定プレート２６を山留杭１のフランジ１ａに溶接などで取り付ける。固定プレート２６に設けたネジ孔２７と、山留杭側接続部材２１に設けたボルト貫通孔２２にボルト３０を貫通させて、山留杭側接続部材２１を固定プレート２６に固定する。山留杭側接続部材２１に設けるボルト貫通孔２２や固定プレート２６に設けるネジ孔２７の個数は特に限定されないが、複数個であると山留杭側接続部材２１を取り付けた時により安定させることができる。
【００５５】
予め腹起４のフランジ４ａにネジ孔５と、腹起側接続部材２３のウェブ２１ｂにボルト貫通孔２４を設けておく。腹起４のネジ孔５と腹起側接続部材２３のボルト貫通孔２４を合わせ、ボルト３０で固定する。その際、緩み止めと、緩んだ時の脱落防止のために、スプリングワッシャーなどを用いても良い。
【００５６】
腹起側接続部材２３のフランジ２３ａと山留杭側接続部材２１のウェブ２１ｂの端部に固定金具２５を挟持させて取り付ける。固定金具２５は、山留杭側接続部材２１の端部と、腹起側接続部材２３の端部を挟持して固定できるものであればよく、例えば図に示したようなブルマン株式会社製のブルマン（「ブルマン」はブルマン株式会社の登録商標）のような挟持金具を用いることができる。
【００５７】
また、図６〜８のブラケット６の部分に山留用ブラケット装置１０を使用して、山留用ブラケット装置１０と山留用腹起固定装置２０を併用することもできる。山留用ブラケット装置１０と山留用腹起固定装置２０を併用すれば、取り付けを簡単かつ安全に行うことができる。火気を使用することなく、ボルト３０を取り外すだけで解体することができ、ブラケットや腹起などの部材を再利用することができる。
【００５８】
実施例３、４では、山留杭側接続部材２１にＬ形鋼を使用した例を示しているが、Ｔ形鋼など山留杭１のフランジ１ａまたは固定プレート２６と山留杭側接続部材２１とを固定できるような形状であればよい。また、腹起側接続部材２３に溝形鋼を使用した例を示しているが、Ｔ形鋼など山留杭側接続部材２１と腹起４との間に配置されて固定できるような形状であればよい。
【符号の説明】
【００５９】
１…山留杭
１ａ…フランジ
２…ネジ孔
３…ネジ孔
４…腹起
４ａ…フランジ
５…ネジ孔
６…ブラケット
１０…山留用ブラケット装置
１１…上部部材
１２…鉛直部材
１３…ボルト貫通孔
１４…斜材
１５…固定プレート
１６…ネジ孔
２０…山留用腹起固定装置
２１…山留杭側接続部材（Ｌ形鋼）
２１ａ…フランジ
２１ｂ…ウェブ
２２…ボルト貫通孔
２３…腹起側接続部材（溝形鋼）
２３ａ…フランジ
２３ｂ…ウェブ
２４…ボルト貫通孔
２５…固定金具
２６…固定プレート
２７…ネジ孔
３０…ボルト
【図１】
2020111981.tif 000003
【図２】
2020111981.tif 000004
【図３】
2020111981.tif 000005
【図４】
2020111981.tif 000006
【図５】
2020111981.tif 000007
【図６】
2020111981.tif 000008
【図７】
2020111981.tif 000009
【図８】
2020111981.tif 000010
【図９】
2020111981.tif 000011
【図１０】
2020111981.tif 000012
【図１１】
2020111981.tif 000013